(57)【特許請求の範囲】
【請求項１】
タッチパネル付きディスプレイにリストを含む画像を表示させる画像表示制御部と、
上記タッチパネルに対するなぞり操作を検出する操作検出部と、
上記ディスプレイに表示された画像上の第１の領域において上記タッチパネルに対して一の方向になぞり操作が行われたことが上記操作検出部により検出されたときには上記リストを上記一の方向にスクロールさせる一方、上記ディスプレイに表示された画像上の第２の領域において上記タッチパネルに対して上記一の方向になぞり操作が行われたことが上記操作検出部により検出されたときには上記リストを上記一の方向とは異なる方向にスクロールさせるように制御するスクロール制御部とを備えたことを特徴とするスクロール制御装置。
【請求項２】
上記画像表示制御部は、上記リストを含む画像として、ループの表面と裏面とが現れるようにループ形状を立体的に描画するとともに、当該ループの表面に上記リストの各項目を上下方向に並べて描画して成る画像を表示させ、
上記スクロール制御部は、上記ループの表面が表示されている領域を上記第１の領域として、当該第１の領域において上記タッチパネルに対して下方になぞり操作が行われたことが上記操作検出部により検出されたときには上記リストを下方にスクロールさせる一方、上記ループの裏面が表示されている領域を上記第２の領域として、当該第２の領域において上記タッチパネルに対して下方になぞり操作が行われたことが上記操作検出部により検出されたときには上記リストを上方にスクロールさせるように制御することを特徴とする請求項１に記載のスクロール制御装置。
【請求項３】
上記画像表示制御部は、上記リストを含む画像として、ループの表面と裏面とが現れるようにループ形状を立体的に描画するとともに、当該ループの表面に上記リストの各項目を左右方向に並べて描画して成る画像を表示させ、
上記スクロール制御部は、上記ループの表面が表示されている領域を上記第１の領域として、当該第１の領域において上記タッチパネルに対して右方になぞり操作が行われたことが上記操作検出部により検出されたときには上記リストを右方にスクロールさせる一方、上記ループの裏面が表示されている領域を上記第２の領域として、当該第２の領域において上記タッチパネルに対して右方になぞり操作が行われたことが上記操作検出部により検出されたときには上記リストを左方にスクロールさせるように制御することを特徴とする請求項１に記載のスクロール制御装置。
【請求項４】
車載装置の画像表示制御部が、タッチパネル付きディスプレイにリストを含む画像を表示させる第１のステップと、
上記車載装置の操作検出部が、上記タッチパネルに対するなぞり操作を検出する第２のステップと、
上記車載装置のスクロール制御部が、上記操作検出部による検出結果に基づいて、上記ディスプレイに表示された画像上の第１の領域において上記タッチパネルに対して一の方向になぞり操作が行われたか、上記ディスプレイに表示された画像上の第２の領域において上記タッチパネルに対して上記一の方向になぞり操作が行われたかを判定する第３のステップと、
上記車載装置のスクロール制御部が、上記第１の領域において上記一の方向に対するなぞり操作が行われたと判定した場合に、上記リストを上記一の方向にスクロールさせる第４のステップと、
上記車載装置のスクロール制御部が、上記第２の領域において上記一の方向に対するなぞり操作が行われたと判定した場合に、上記リストを上記一の方向とは異なる方向にスクロールさせる第５のステップとを有することを特徴とするスクロール制御方法。
【発明の詳細な説明】
【技術分野】
【０００１】
本発明は、スクロール制御装置およびスクロール制御方法に関し、特に、タッチパネルのなぞり操作によってリストのスクロールを行うように制御する装置に用いて好適なものである。
【背景技術】
【０００２】
近年、カーナビゲーション装置やカーオーディオ装置などの車載装置では、操作手段としてタッチパネルを用いたものが増えている。この種の車載装置では、タッチパネル付きディスプレイ（以下、単にタッチパネルという）上に表示されたユーザインタフェースに対するユーザのタッチ操作やなぞり操作によって、車載装置の各種動作を指示することができるようになっている（例えば、特許文献１参照）。
【０００３】
特許文献１には、ユーザインタフェースとして球体をタッチパネル上に表示させ、球体を回転させるような操作が行われた場合に、上下方向に並べてリスト形式で表示されたボタン群におけるフォーカスを球体の回転に合わせて移動させることが記載されている。具体的には、ユーザが球体を画面の上方に転がすように操作した場合は、フォーカスを上方に移動させる。一方、ユーザが球体を画面の下方に転がすように操作した場合は、フォーカスを下方に移動させる。
【先行技術文献】
【特許文献】
【０００４】
【特許文献１】特開２００７−４２０２９号公報
【発明の概要】
【発明が解決しようとする課題】
【０００５】
上述のように、タッチパネルのなぞり操作によってリストのスクロールを行う場合、リストを上方にスクロールさせたいときはタッチパネルを上方になぞり、下方にスクロールさせたいときはタッチパネルを下方になぞるのが普通である。ところで、車載装置の場合、タッチパネルはセンターコンソール付近に固定されており、ユーザが運転席または助手席からタッチパネルを操作するときの姿勢はほぼ決まっている。しかも、タッチパネルは、表示画面を見易くするために、ほぼ垂直に起立した状態で設置されている。
【０００６】
そのため、タッチパネルを下方になぞる場合は比較的滑らかに操作することができるものの、上方になぞる場合は、どうしても指が引っ掛かりやすく、なぞり操作が行いにくいという問題があった。通常、リストの各項目は上から昇順で表示されることが多い。そのため、リストを上方にスクロールさせるために、タッチパネルを上方へなぞるケースが多い。しかしながら、この上方へのなぞり操作が行いにくく、スクロールがうまくできないことがあった。
【０００７】
本発明は、このような問題を解決するために成されたものであり、タッチパネルのなぞり操作によってスクロールを行う場合に、上方へのスクロールを行うときの操作も行いやすくすることを目的とする。
【課題を解決するための手段】
【０００８】
上記した課題を解決するために、本発明では、タッチパネルに表示された画像上の第１の領域において一の方向になぞり操作が行われたときにはリストを一の方向にスクロールさせる一方、第２の領域において一の方向になぞり操作が行われたときにはリストを一の方向とは異なる方向にスクロールさせるように制御する。
【発明の効果】
【０００９】
上記のように構成した本発明によれば、リストを一の方向にスクロールさせる場合も、一の方向とは異なる方向にスクロールさせる場合も、異なる領域において同じ一の方向になぞり操作を行えばよく、スクロールの方向に合わせてなぞり操作の方向を変える必要がなくなる。これにより、比較的滑らかになぞり操作を行うことができる方向に一の方向を設定しておけば、リストをどの方向にスクロールさせるときでもなぞり操作を行いやすくすることができ、スクロールをスムーズに行うことができるようになる。
【図面の簡単な説明】
【００１０】
【図１】本実施形態によるスクロール制御装置の機能構成例を示すブロック図である。
【図２】本実施形態のタッチパネルに表示される画像の一例を示す図である。
【図３】本実施形態によるスクロール動作を説明するための図である。
【図４】本実施形態によるスクロール制御装置の動作例を示すフローチャートである。
【図５】本実施形態のタッチパネルに表示される画像の他の例を示す図である。
【図６】本実施形態のタッチパネルに表示される画像の更に別の例を示す図である。
【発明を実施するための形態】
【００１１】
以下、本発明の一実施形態を図面に基づいて説明する。図１は、本実施形態によるスクロール制御装置の機能構成例を示すブロック図である。なお、本実施形態のスクロール制御装置は、例えば、カーナビゲーション装置やカーオーディオ装置などの車載装置に実装される。
【００１２】
図１に示すように、本実施形態のスクロール制御装置は、その機能構成として、画像表示制御部１１、操作検出部１２およびスクロール制御部１３を備えている。これらの各機能構成１１〜１３は、ハードウェア構成、ＤＳＰ、ソフトウェアの何れによっても実現することが可能である。例えばソフトウェアによって実現する場合、上記各機能構成１１〜１３は、コンピュータのＣＰＵあるいはＭＰＵ、ＲＡＭ、ＲＯＭなどを備えて構成され、ＲＡＭやＲＯＭに記憶されたプログラムが動作することによって実現できる。
【００１３】
画像表示制御部１１は、タッチパネル付きディスプレイ（以下、単にタッチパネル２０という）に対して、リストを含む画像を表示させる。ここで表示する画像は、例えば、ループの表面と裏面とが現れるようにループ形状を立体的に描画するとともに、当該ループの表面にリストの各項目を上下方向に並べて描画して成る画像である。
【００１４】
図２は、画像表示制御部１１により表示される画像の具体例を示す図である。図２に示すように、本実施形態では、ループ形状の一例として円筒状のドラム１００を表示する。具体的には、ドラム１００をその表面１０１と裏面１０２とが現れるように立体的に斜視図として表し、ドラムの表面１０１にリストの各項目を上下方向に並べて表示する。タッチパネル２０の全領域のうち、ドラム１００の表面１０１が表示される領域が特許請求の範囲の「第１の領域」に相当し、ドラム１００の裏面１０２が表示される領域が特許請求の範囲の「第２の領域」に相当する。
【００１５】
操作検出部１２は、タッチパネル２０に対するなぞり操作を検出する。スクロール制御部１３は、操作検出部１２により検出されるなぞり操作に応じて、ドラム１００の表面１０１に表示されたリストのスクロールを制御する。図３は、スクロール制御部１３によって制御される本実施形態のスクロール動作を説明するための図である。
【００１６】
図３（ａ）に示すように、スクロール制御部１３は、ドラム１００の表面１０１が表示されている第１の領域において、矢印Ａのようにタッチパネル２０に対して下方へのなぞり操作が行われたことが操作検出部１２により検出されたときは、矢印Ｂに示すようにリストを下方にスクロールさせる。すなわち、この場合のなぞり操作は、ドラム１００の外側を下方向へ回すという操作に相当するため、ドラム１００は正回転し、ドラム１００の外側に表示されているリストは下方にスクロールする。
【００１７】
一方、図３（ｂ）に示すように、スクロール制御部１３は、ドラム１００の裏面１０２が表示されている第２の領域において、矢印Ｃのようにタッチパネル２０に対して下方へのなぞり操作が行われたことが操作検出部１２により検出されたときは、矢印Ｄに示すようにリストを上方にスクロールさせる。すなわち、この場合のなぞり操作は、ドラム１００の内側を下方向へ回すという操作に相当するため、ドラム１００は逆回転し、ドラム１００の外側に表示されているリストは上方にスクロールする。
【００１８】
図４は、上記のように構成した本実施形態によるスクロール制御装置の動作例を示すフローチャートである。この図４に示すフローチャートは、リストを含む画像の表示をユーザが指示したときに開始する。例えば、本実施形態のスクロール制御装置がカーナビゲーション装置に実装されている場合において、リスト操作によって目的地を設定することが指示されたときなどに、図４に示すフローチャートの処理が開始する。あるいは、本実施形態のスクロール制御装置がカーオーディオ装置に実装されている場合において、リスト操作によって楽曲を選択することが指示されたときなどに、図４に示すフローチャートの処理が開始する。
【００１９】
まず、画像表示制御部１１は、図２に示すようなリストを含む画像をタッチパネル２０に表示させる（ステップＳ１）。次に、操作検出部１２は、タッチパネル２０に対するなぞり操作が行われたか否かを判定する（ステップＳ２）。なぞり操作が行われていない場合、処理はステップＳ１に戻る。
【００２０】
一方、タッチパネル２０に対するなぞり操作が操作検出部１２により検出された場合、スクロール制御部１３は、ドラム１００の表面１０１、すなわち第１の領域においてなぞり操作が行われたか否かを判定する（ステップＳ３）。ここで、ドラム１００の表面１０１におけるなぞり操作であると判定された場合、スクロール制御部１３は、そのなぞり操作の方向（上方または下方）と同じ方向にリストをスクロールさせるように制御する（ステップＳ４）。
【００２１】
すなわち、なぞり操作の方向が下方であればスクロールの方向も下方であり、なぞり操作の方向が上方であればスクロールの方向も上方である。なお、車載装置に使われるタッチパネル２０は、センターコンソール付近においてほぼ垂直に起立した状態で設置されているため、上方になぞる操作は行いにくい。よって、ドラム１００の表面１０１でのなぞり操作は下方に行うことが推奨される。
【００２２】
上記ステップＳ３において、ドラム１００の表面１０１におけるなぞり操作ではないと判定された場合、スクロール制御部１３は、ドラム１００の裏面１０２、すなわち第２の領域においてなぞり操作が行われたか否かを判定する（ステップＳ５）。ここで、ドラム１００の裏面１０２におけるなぞり操作であると判定された場合、スクロール制御部１３は、そのなぞり操作の方向とは逆の方向にリストをスクロールさせるように制御する（ステップＳ６）。
【００２３】
すなわち、なぞり操作の方向が下方であればスクロールの方向は上方であり、なぞり操作の方向が上方であればスクロールの方向は下方である。上述したように、タッチパネル２０を上方になぞる操作は行いにくいため、ドラム１００の裏面１０２でのなぞり操作に関しても、下方に行うことが推奨される。要するに、本実施形態では、ユーザがなぞり易い方向である下方に対してなぞり操作をすれば、その操作位置に応じてリストを下方または上方の何れかにスクロールさせることができる。
【００２４】
なお、上記ステップＳ５において、ドラム１００の裏面１０２におけるなぞり操作でもないと判定された場合、画面上でドラム１００が表示されている領域以外の部分においてなぞり操作が行われたことになる。その場合は、そのなぞり操作が行われた領域に表示されているユーザインタフェースに応じたその他の処理が実行される（ステップＳ７）。ステップＳ４，Ｓ６，Ｓ７の何れかの処理を実行することにより、図４に示すフローチャートの処理は終了する。
【００２５】
以上詳しく説明したように、本実施形態では、タッチパネル２０に表示されたドラム１００の画像における表面１０１の領域において下方になぞり操作が行われたときには、リストを下方にスクロールさせる。一方、ドラム１００の裏面１０２の領域において下方になぞり操作が行われたときには、リストを上方にスクロールさせるようにしている。
【００２６】
このように構成した本実施形態によれば、リストを下方にスクロールさせる場合も、上方にスクロールさせる場合も、ドラム１００の表面１０１または裏面１０２の領域において同じ下方になぞり操作を行えばよく、スクロールの方向に合わせてなぞり操作の方向を変える必要がなくなる。下方へのなぞり操作は、比較的滑らかになぞり操作をすることができる方向なので、上下どちらの方向にリストをスクロールさせるときでもなぞり操作を行いやすくすることができる。
【００２７】
しかも、本実施形態によれば、リストのスクロール方向がドラム１００の回転方向と一致するので、ドラム１００の表面１０１または裏面１０２のどちらを操作すればリストがどちらの方向にスクロールするのかについて、ユーザが直感的に把握することができるというメリットも有する。
【００２８】
なお、上記実施形態では、リストの各項目を上下方向に並べて描画し、当該リストを上下方向にスクロールさせる例について説明したが、本発明はこれに限定されない。例えば、図２に示したドラム１００を９０度回転させた状態で描画するとともに、その表面１０１にリストの各項目を左右方向に並べて描画し、当該リストを左右方向にスクロールさせるようにしてもよい。
【００２９】
この場合、スクロール制御部１３は、例えば、ドラム１００の表面１０１が表示されている領域において右方になぞり操作が行われたときにはリストを右方にスクロールさせる一方、裏面１０２が表示されている領域において右方になぞり操作が行われたときにはリストを左方にスクロールさせるように制御する。タッチパネル２０より右側の運転席から操作する場合、右方になぞる場合は比較的滑らかに操作することができるものの、左方になぞる場合は指が引っ掛かりやすく、なぞり操作が行いにくいからである。
【００３０】
また、上記実施形態では、ループ形状の一例として円筒状のドラム１００を表示する例について説明したが、本発明はこれに限定されない。例えば、図５に示すように、ベルトコンベア２００のようなループ形状を表示し、その表面２０１にリストを表示させるようにしてもよい。この場合も、ベルトコンベア２００の表面２０１の領域を下方になぞり操作したときにはリストを下方にスクロールさせ、裏面２０２の領域を下方になぞり操作したときにはリストを上方にスクロールさせる。
【００３１】
また、上記実施形態では、タッチパネル２０上に表示させる画像をループ形状の画像とする例について説明したが、本発明はこれに限定されない。すなわち、タッチパネル２０に表示された画像上に、第１の領域と、それとは異なる第２の領域とを設定し、どちらの領域において一の方向になぞり操作が行われたかに応じてスクロールの方向を変えるようにするものであれば、表示する画像はループ形状の画像に限定されない。
【００３２】
例えば、図６に示すように、各項目を上下方向に平面的に並べて表示させた通常のリスト３００の左側に第１の領域３０１を設定し、リスト３００の右側に第２の領域３０２を設定する。そして、第１の領域３０１において下方になぞり操作が行われたときにはリスト３００を下方にスクロールさせる一方、第２の領域３０２において下方になぞり操作が行われたときにはリスト３００を上方にスクロールさせるように制御してもよい。
【００３３】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００３４】
１１  画像表示制御部
１２  操作検出部
１３  スクロール制御部
２０  タッチパネル
１００  ドラム（ループ形状）の画像
１０１  ドラムの表面（第１の領域）
１０２  ドラムの裏面（第２の領域）
【図１】
0005797550.tif 000002
【図２】
0005797550.tif 000003
【図３】
0005797550.tif 000004
【図４】
0005797550.tif 000005
【図５】
0005797550.tif 000006
【図６】
0005797550.tif 000007